(57)【特許請求の範囲】
【請求項１】
プラスチックフィルムを基材としてなるパウチを紙のスリーブに挿入し、互いに接着して構成される折りたたみ可能な容器であり、かつ、熱湯を注いで調理するインスタント食品の容器であって、
前記スリーブは２つの側面部と底部とを有しており、これら２つの側面部は底部を間に介して互いにつながっており、かつ、これら２つの側面部は、それぞれ、その両側縁に指掛け部を有しており、
前記指かけ部同士はホットメルト系接着剤によって接着されており、
スリーブの前記側面部とパウチの胴部分とは、塗り分けられたホットメルト系接着剤とエマルジョン系接着剤の両方で接着されており、
前記指掛け部はパウチから離れて位置することを特徴とする容器。
【請求項２】
スリーブの前記側面部とパウチとは、線状のホットメルト系接着剤と、この両側に線状に設けられたエマルジョン系接着剤の両方で接着されていることを特徴とする請求項１に記載の容器。
【発明の詳細な説明】
【技術分野】
【０００１】
本発明はパウチと紙のスリーブを組み合わせたインスタントスープ等に用いるインスタント食品用容器に関する。
【背景技術】
【０００２】
インスタント食品は、さまざまな食品が商品化され、市場を形成している。特にカップ麺のように食器付きの商品はスーパーマーケットなどで見られるように、嵩張って陳列に大きなスペースが必要となっている。一方でパウチ形態の商品は陳列のスペースには大きな問題は無いものの、消費者の手に渡って以降、調理器具や食器が必要となる場合が多い。
【０００３】
一方でパウチと紙のスリーブを組み合わせた容器の提案も行なわれている。折りたたんだ紙のスリーブとパウチの組み合わせで、湯を入れて調理する際に食器として組み立てるために、食器の準備や各場面における嵩張りの問題は解決されるものの、インスタントスープ容器として必要な、高温に対する耐性、容器の断熱性やパウチとスリーブの組み合わせ方法などは考慮されていないのが実情である。
【０００４】
たとえばインスタントスープなどのインスタント食品の容器として湯を入れた際に、素手で持つことの出来る断熱機構が必要である。また高温の影響でパウチと紙のスリーブを組み合わせる際に使用されるホットメルト接着剤が軟化して、容器が分解してしまうなどの不具合が指摘されている。
【先行技術文献】
【特許文献】
【０００５】
【特許文献１】実用新案平１−８５０２号公報
【特許文献２】実用新案平３−９３４１４号公報
【発明の概要】
【発明が解決しようとする課題】
【０００６】
本発明はかかる状況に鑑みてなされたものであり、スープなどのインスタント食品用の、パウチと紙のスリーブを組み合わせた容器において、嵩張ることなく、また内容物が高温の場合でも手で持つことの出来る断熱性を有しており、パウチと紙のスリーブの高温における接着性も損なうことの無い容器を提供することを課題とする。
【課題を解決するための手段】
【０００７】
上記の課題を解決するための手段として、請求項１に記載の発明は、プラスチックフィルムを基材としてなるパウチを紙のスリーブに挿入し、互いに接着して構成される折りたたみ可能な容器であり、かつ、熱湯を注いで調理するインスタント食品の容器であって、
前記スリーブは２つの側面部と底部とを有しており、これら２つの側面部は底部を間に介して互いにつながっており、かつ、これら２つの側面部は、それぞれ、その両側縁に指掛け部を有しており、
前記指かけ部同士はホットメルト系接着剤によって接着されており、
スリーブの前記側面部とパウチの胴部分とは、塗り分けられたホットメルト系接着剤とエマルジョン系接着剤の両方で接着されており、
前記指掛け部はパウチから離れて位置することを特徴とする容器である。
【０００８】
また、請求項２に記載の発明は、スリーブの前記側面部とパウチとは、線状のホットメルト系接着剤と、この両側に線状に設けられたエマルジョン系接着剤の両方で接着されていることを特徴とする請求項１に記載の容器である。
【発明の効果】
【０００９】
本発明によれば、インスタント食品用のパウチと紙のスリーブを組み合わせた容器において、嵩張ることなく、また内容物が高温の場合でも手で持つことの出来る断熱性を有し
ており、パウチと紙のスリーブの高温における接着性も損なうことの無い容器を提供することが可能になる。
【００１０】
また請求項２に記載の発明によれば、熱湯を注いで内容物が高温である場合においても容易に手で持つことのできる容器を提供することが可能になる。
【００１１】
また請求項３の発明によれば、内容物が高温である場合においても、パウチと紙のスリーブが分解することの無い容器を提供することが可能になる。
【図面の簡単な説明】
【００１２】
【図１】図１は本発明に係る紙のスリーブの一実施形態を、容器内側になる面から見た平面展開図である。
【図２】図２は本発明に係るパウチの外観の一実施形態の平面模式図である。
【図３】図３は本発明に係る紙のスリーブとパウチを組み合わせて折りたたまれた状態を示す一実施形態の平面模式図である。
【図４】図４は本発明に係る紙のスリーブとパウチを組み合わせた容器の一実施形態の、使用時に立体とする際の動きを示す組み立て模式図である。
【図５】図５は本発明に係る一実施形態の紙のスリーブに用いる接着剤の塗布部分を示す平面模式図である。
【図６】図６は本発明に係る一実施形態の紙のスリーブに用いる接着剤の塗布部分の他の実施形態を示す平面模式図である。
【発明を実施するための形態】
【００１３】
以下本発明を実施するための形態について図１〜図５を用いて詳細に説明を加える。
本発明は図１に示す紙のスリーブと図２に示すパウチを組み合わせて、図３に示した如く折りたたまれた状態のものを、組み立てて立体化し湯を注ぎ入れるなどしてインスタントスープなどのインスタント食品を可食化するための、容器として使用することのできる容器である。
【００１４】
スリーブとパウチを一体化させるために接着剤を用いるが、本発明においては、接着剤は図５に示すごとくホットメルト系接着剤とエマルジョン系接着剤を併用する。ホットメルト系接着剤は熱によって溶融した状態で用いられる。そのため冷却によって速やかに接着力が発現するため初期接着力が大きいため使い勝手が良く、生産性が高い半面、熱湯などの熱が伝播した場合など、熱によって軟化する性質を持つ。
【００１５】
もう一方のエマルジョン系接着剤はエマルジョン中の水分が、経時あるいは加熱によってなくなってのちエマルジョンが樹脂化して接着力が発現する。したがって初期接着力はホットメルト系接着剤に比べて弱いがいったん接着してからは、熱湯などの熱による軟化は起きない特徴を持つ。
【００１６】
本発明においてはホットメルト系接着剤とエマルジョン系接着剤の両者を併用することによって、初期接着性を損なうことなく、かつパウチと紙のスリーブの高温における接着性も損なうことの無い、容器を提供することが可能となる。
【００１７】
図１は本発明に係る紙のスリーブの一実施形態を容器内側になる面から見た平面展開図である。スリーブには紙を用いるが、紙の種類は特別に限定するものではなく、たとえば板紙など容器としての厚みや強度と断熱性を考慮して適宜選択すればよい。またスリーブ表面に印刷が必要な場合には、印刷適性も考慮に加えて選択することが望ましい。
【００１８】
図１に示した実施形態では、スリーブ（１）は２つの側面部（２）と底部（３）とを有
しており、２つの側面部（２）は底部（３）を間に介して互いにつながっている。２つの側面部（２）は、それぞれ、その両側縁に指掛け部（４）を有している。また、底部（３）は中央に直線状の谷折り線を有しており、この谷折り線でスリーブを二つ折りすることにより、２つの側面部（２）を互いに重ね合わせることができる。互いに重ねあわされた指掛け部（４）（図２のＡとＡ’、ＢとＢ’）は、それぞれ、互いに接着される。二つ折りして２つの側面部（２）を互いに重ね合わせたとき、その底部（３）は容器の底に位置し、その反対側が容器の開口部となる。なお、互いに重ねあわされた２つの側面部（２）の間にはパウチが挟みこまれる。パウチの開口部も、底部とは反対側に位置する。
【００１９】
スリーブの形状はたとえば、打ち抜き機を用いて行なうことができ、打ち抜いたものにこれら山折線、谷折線を設けて作成する。なお山折線、谷折線は図１の状態で容器内側から見たときのものである。
【００２０】
また側面部（２）には開口部から底部（３）の方向に伸びる４箇所の谷折線（６）が設けられており、パウチと一体化して後、調理に使用する際の一体容器の立体の組み立てにおいて、容器内側から見て谷折となって４面胴部の角の稜線となる。
【００２１】
指かけ部（４）には窪み（５）を設ける。窪み（５）の形状は指をかけたり、指でつまんだりすることが容易にでき、またスープなどのインスタント食品の調理容器および食器として便利に使用できる形状であればよい。指かけ部（４）と側面部の間には指かけ部山折線（９）を設けてあり、スリーブとパウチとを一体化して後、調理、食用に使用する際の一体容器の立体の組み立てにおいて、山折となって容器の指かけ部を形成する。
【００２２】
スープなどのインスタント食品の調理容器および食器として使用する際には、指かけ部（４）を用いて容器を持ったり指でつまんで持つことができる。この指かけ部（４）によって、調理のために熱湯を注いだ際にも手に直接熱が伝わることがなく、容器を手で持つことが可能になる。
【００２３】
図２は本発明に係るパウチの外観の一実施形態の平面模式図である。パウチ（１０）はプラスチックフィルムを基材として、ガスバリア層などと積層し、最外層にシーラント層を設けるなどして、袋状に加工したものである。パウチを構成する基材のプラスチックフィルムは、特に種類を限定をするものではないが、パウチとして機械的強度や価格などを考慮して適宜選択でき、たとえばポリプロピレンフィルム、ポリエチレンテレフタレートフィルムなどを好ましく使用することができる。
【００２４】
フィルムのほか、たとえば最外層のシーラント層はポリプロピレンやポリエチレンの樹脂層であって、フィルムを用いて貼り合わせ、積層してもよく、あるいは押出し機によって積層することもできる。
【００２５】
食品を内容物とする場合には、多くの場合ガスバリア性が求められる。その場合にはパウチにガスバリア層を積層して設けることができる。ガスバリア層にはたとえばアルミニウム箔などの金属箔を貼り合わせて積層することができる。
【００２６】
また、金属箔を用いることが不都合な場合には金属箔を用いる代わりに、ガスバリアフィルムを用いることができる。ガスバリアフィルムは、基材フィルムとガスバリア層からなる。ガスバリア層は蒸着法によって無機化合物層を基材フィルム上に設けても良く、さらにコーティング法による無機化合物層を重ねて設けても良い。
【００２７】
パウチはシーラント層同士を対向させて重ね、加圧、加熱して熱溶着して袋状に加工する。このとき底部はパウチ底部（１１）として畳み込まれた形状に加工するが、パウチと
同様の積層体からなる底テープを用いてパウチ底部（１１）を形成することができる。パウチは底テープを六角形状とすることにより、容器を組み立てて立体としたときにパウチの開口部の面積を大きくすることができ、またパウチの底部をスリーブの形状に追随して略６角形状にすることが可能である。
【００２８】
図３は本発明に係る紙のスリーブとパウチを組み合わせて折りたたまれた状態を示す一実施形態の平面模式図である。２つ折りにしたスリーブの間にパウチが挟みこまれて一体化した状態の平面模式図である。スリーブとパウチは接着剤によって一体化している。
【００２９】
この段階でスープ等のインスタント食品は内容物としてパウチの中に収められ密封されている。パウチもスリーブもこの状態では平たく折りたたまれているため、嵩張らず製造、流通、在庫、販売など各場面において、省スペースや取り扱いの点で都合が良い。
【００３０】
内容物（１２）の充填後パウチ口部はたとえばヒートシールによって密封され、必要に応じて開封のための切れ込みや切り取り予定線（１３）を設けることができる。
【００３１】
図４は本発明に係る紙のスリーブとパウチを組み合わせた容器の一実施形態の、使用時に立体とする際の動きを示す組み立て模式図である。図３に示した切り取り予定線（１３）を用いて、パウチの口部は切り取られ開口部が作られる。
【００３２】
容器は、湯を注ぎ入れて調理、可食化するために立体に組み立てられる。側面部組み立て矢印（２０）および側面部組み立て矢印（２１）の方向に指かけ部（４）を両側から押して、指かけ部山折線（９）を容器内側から見て山折すると同時に、側面部の４箇所の谷折線（６）が容器内側から見て谷折されて四角柱の胴部を形成する。このときスリーブとパウチは接着剤を用いて一体化しているために内側のパウチもスリーブの立体化に追随して立体化し容器として使用することが可能になる。
【００３３】
スリーブの底部（３）は指かけ部山折線（９）を両側から押して、四角柱の胴部を形成する。同時に谷折されていた部分が開いて底部が広がるが、さらに底部組み立て矢印（２２）方向に底部（３）を押し込むことによって、スリーブの底部（３）はアーチ型を形成してパウチを支える。これによってパウチの底部がスリーブの底部（３）によって安定して支えられる構造となる。この結果湯を注ぎ入れたりして、その加重が底部にかかっても底が支えられて容器の形状を保つことができる。
【００３４】
図５は本発明に係る一実施形態の紙のスリーブに用いる接着剤の塗布部分を示す平面模式図である。本発明によれば、パウチと紙のスリーブ（１）との接着にホットメルト系接着剤とエマルジョン系接着剤の両方を併用して一体化させるのであるが、図５は併用した際のそれぞれの接着剤を塗布する塗り分けの、一実施形態を示したものである。また図６は本発明に係る一実施形態の紙のスリーブに用いる接着剤の塗布部分の他の実施形態を示す平面模式図である。
【００３５】
ホットメルト系接着剤として特に限定をするものではないが、たとえばエチレンビニルアルコール系（ＥＶＡ系）接着剤、ゴム系ホットメルト接着剤などの中から、接着強度のほか、溶融温度や粘度を考慮して適宜選択することができる。
【００３６】
エマルジョン系接着剤として特に限定をするものではないが、プラスチックフィルムと紙の接着強度などを考慮して、たとえばアクリル−酢酸ビニル共重合系接着剤を選択することができる。
【００３７】
指かけ部（４）は、指かけ部（４）同士が接着される部分であり、熱湯が注ぎ入れられ
て熱くなるパウチとは直接接触する部分ではないために、ホットメルト系接着剤（７）を使用することが可能である。
【００３８】
胴部分（１４）はスリーブとパウチが接触する部分であるために、エマルジョン系接着剤（８）を使用する。エマルジョン系接着剤を使用することによって、熱湯による熱が接着剤部分に伝播した場合でも、接着剤が耐熱性を持ち熱で軟化することがないために、容器が分解するなどの恐れがない。
【００３９】
スリーブとパウチを接着剤を用いて一体化して容器とする際にはホットメルト系接着剤のほうが初期接着強度が強いため使い勝手が良く生産性が優れるため胴部分（１４）において、一部ホットメルト系接着剤を用いる領域を設けることで、生産性を損なうことなく、容器の耐熱性を確保することができる。
【００４０】
ホットメルト系接着剤とエマルジョン系接着剤の両方を併用して塗り分けるパターンは、図５に示したパターンのほか、たとえば図６に示したパターンなど任意のパターンを選ぶことができる。
【実施例】
【００４１】
以下本発明をさらに具体的に説明するために実施例に基づいて説明を加えるが本発明にはこれに限定されるものではない。以下にその材料構成、製造手順、評価方法、評価結果を詳述する。
【００４２】
スリーブには坪量３１０ｇの紙（コートボール紙）を用いた。図１に示す形状のスリーブを打ち抜きで作成し折線を設けた。
【００４３】
パウチは下記の材料構成でこの順に積層して積層体を作成し製袋加工を行った。
・基材フィルム：ポリエチレンテレフタレートフィルム（東洋紡社製：厚さ１２μｍ、外面コロナ処理なし）
・バリア層：アルミニウム箔（厚さ９ミクロンｍ）
・シーラント層：低密度直鎖状ポリエチレン（厚さ６０μｍ）
を積層、袋加工して、六角形状の底テープ付きのパウチとした。
【００４４】
作成したスリーブに、ホットメルト系接着剤としてヘンケルジャパン製ＥＶＡ樹脂からなるホットメルト系接着剤ＺＭ８０８を、エマルジョン系接着剤として日栄化工製アクリル-酢酸ビニル共重合体系接着剤ＡＶ−６５０Ｙ−６を用いて、図５に示すパターンで塗り分け塗布してスリーブとパウチとを接着して容器を作成した。
【００４５】
接着直後の状態で接着強度を確認したところ、ＺＭ８０８と紙との接着では紙の層間での破壊が確認され、十分な強度であることが確認できた。
【００４６】
接着から２日経過後に、ＡＶ−６５０Ｙ−６との接着を確認したころ、紙の層間での破壊が確認され、十分な強度であることが確認できた。この状態においてパウチに熱湯（１００℃）を注ぎ入れＺＭ８０８、ＡＶ−６５０Ｙ−６それぞれとの接着強度を確認したところ、ＺＭ８０８ではパウチ表面のポリエチレンテレフタレートフィルムとＺＭ８０８との間で容易に剥離することが確認された一方、ＡＶ−６５０Ｙ−６では熱湯をパウチに入れる前と同様、紙の層間で破壊され十分な強度であることが確認できた。
【００４７】
すなわち、ホットメルト系接着剤ＺＭ８０８によって、熱湯の熱の直接の影響を受けない指かけ部およびスリーブとパウチの接着直後の接着強度が確保され、容器に湯を入れる場面では、エマルジョン系接着剤ＡＶ−６５０Ｙ−６によって接着強度が確保できる結果
を得ることができた。
【００４８】
このように、本発明によればスープなどのインスタント食品用の、パウチと紙のスリーブを組み合わせた容器において、嵩張ることなく、また内容物が高温の場合でも手で持つことの出来る断熱性を有しており、パウチと紙のスリーブの高温における接着性も損なうことのない容器を提供することが可能であることを検証することができた。
【符号の説明】
【００４９】
１・・・スリーブ
２・・・側面部
３・・・底部
４・・・指かけ部
５・・・窪み
６・・・４箇所の谷折線
７・・・ホットメルト系接着剤
８・・・エマルジョン系接着剤
９・・・指かけ部山折線
１０・・・パウチ
１１・・・パウチ底部
１２・・・内容物
１３・・・切り取り予定線
１４・・・胴部分
２０・・・側面部組み立て矢印
２１・・・側面部組み立て矢印
２２・・・底部組み立て矢印
【図１】
0006439372.tif 000002
【図２】
0006439372.tif 000003
【図３】
0006439372.tif 000004
【図４】
0006439372.tif 000005
【図５】
0006439372.tif 000006
【図６】
0006439372.tif 000007